(57)【要約】【課題】本発明はＤＭＢデータ再生のためのＤＭＢ端末機及び方法を提供する。【解決手段】本発明は、ＤＭＢサービス中における放送再視聴のためのＤＭＢ端末機であって、ＤＭＢ信号を受信して放送データに変換するデジタル放送受信部と、放送データをバッファリングして出力するバッファと、バッファから出力される放送データを格納し、制御信号によって格納された放送データの一部を出力するリプレイ用バッファと、バッファ及びリプレイ用バッファから出力される少なくとも一つの放送データを表示する表示部と、リプレイ用バッファに格納された放送データを逆方向検索するための単位時間を格納するメモリ部と、ＤＭＢサービス中に放送再視聴の要求がある場合、再視聴要求時刻から前記単位時間だけの以前時刻までの放送データを前記リプレイ用バッファから検索して、表示部に出力するように制御する制御部とからなる。【選択図】図１
2007104679.tif 000002
【特許請求の範囲】
【請求項１】
ＤＭＢサービス中における放送再視聴のためのＤＭＢ端末機であって、
ＤＭＢ信号を受信して放送データに変換するデジタル放送受信部と、
前記放送データをバッファリングして出力するバッファと、
前記バッファから出力される放送データを格納し、制御信号によって前記格納された放送データの一部を出力するリプレイ用バッファと、
前記バッファ及びリプレイ用バッファから出力される少なくとも一つの放送データを表示する表示部と、
前記リプレイ用バッファに格納された放送データを逆方向検索するための単位時間を格納するメモリ部と、
前記ＤＭＢサービス中に放送再視聴の要求がある場合、前記再視聴要求時刻から前記単位時間だけ以前の時刻までの放送データを前記リプレイ用バッファから検索して、前記表示部に出力するように制御する制御部と、からなることを特徴とするＤＭＢ端末機。
【請求項２】
前記リプレイ用バッファが設定されたサイズ以上の放送データは、上書されることを特徴とする、請求項１に記載のＤＭＢ端末機。
【請求項３】
前記制御部が、前記バッファから出力される放送データは、前記表示部のメーン画面に表示するように制御し、前記放送再視聴の要求によって出力される放送データは、前記表示部のサブ画面に表示するように制御することをさらに含んで構成されることを特徴とする、請求項１に記載のＤＭＢ端末機。
【請求項４】
前記制御部が、前記放送再視聴の要求による放送データの出力中、追加的な放送再視聴の要求がある場合、前記追加的な再視聴要求時刻より単位時間だけの以前時刻から前記最初再視聴要求時刻までの放送データを出力するように制御することをさらに含んで構成されることを特徴とする、請求項１に記載のＤＭＢ端末機。
【請求項５】
ＤＭＢ端末機でＤＭＢサービス中における放送再視聴のための方法であって、
リアルタイムＤＭＢサービスされる間、ＤＭＢデータをリプレイ用バッファに格納するステップと、
前記ＤＭＢサービス中に放送再視聴の要求がある場合、前記再視聴要求時刻から単位時間だけ以前の時刻までの放送データを前記リプレイ用バッファから検索して画面に表示するステップとを含むことを特徴とする、ＤＭＢサービス中における放送再視聴のための方法。
【請求項６】
前記放送サービス中であるＤＭＢデータの一部をリプレイ用バッファに格納するステップは、放送サービス中であるＤＭＢデータを前記リプレイ用バッファに格納し、前記ＤＭＢデータのうち、前記リプレイ用バッファのサイズ以上の放送データに対しては上書されるようにするステップであることを特徴とする、請求項５に記載のＤＭＢサービス中における放送再視聴のための方法。
【請求項７】
前記放送データを画面に表示するステップは、現在サービス中である放送データはメーン画面に表示し、前記放送再視聴の要求による放送データはサブ画面に表示するステップであることを特徴とする、請求項５に記載のＤＭＢサービス中における放送再視聴のための方法。
【請求項８】
前記放送再視聴の要求による放送データの出力中、追加的な放送再視聴の要求がある場合、前記追加的な再視聴要求時刻より単位時間だけの以前時刻から前記最初再視聴要求時刻までの放送データを前記サブ画面に表示するステップをさらに含むことを特徴とする、請求項５に記載のＤＭＢサービス中における放送再視聴のための方法。
【請求項９】
放送再視聴のためのＤＭＢ端末機であって、
受信される放送データを格納するリプレイ用バッファと、
前記放送再視聴の要求がある場合、前記再視聴要求時刻から所定の単位時間だけ以前の時刻までの放送データを前記リプレイ用バッファから検索して表示するように制御する制御部とからなることを特徴とするＤＭＢ端末機。
【請求項１０】
前記放送データをリアルタイムでバッファリングして出力するバッファと、
前記リプレイ用バッファに格納された放送データを逆方向検索するための単位時間を格納するメモリ部とをさらに含むことを特徴とする、請求項９に記載のＤＭＢ端末機。
【請求項１１】
前記リプレイ用バッファが設定されたサイズ以上の放送データは、上書されることを特徴とする、請求項９に記載のＤＭＢ端末機。
【請求項１２】
前記制御部が、前記放送再視聴の要求による放送データの出力中、追加的な放送再視聴の要求がある場合、前記追加的な再視聴要求時刻より単位時間だけの以前時刻から前記最初再視聴要求時刻までの放送データを出力するように制御することをさらに含んで構成されることを特徴とする、請求項１０に記載のＤＭＢ端末機。
【請求項１３】
前記制御部が、前記バッファから出力される放送データは、メーン画面に表示するように制御し、前記放送再視聴の要求によって出力される放送データは、サブ画面に表示するように制御することをさらに含んで構成されることを特徴とする、請求項１０に記載のＤＭＢ端末機。
【発明の詳細な説明】
【技術分野】
【０００１】
本発明はＤＭＢ(Digital Multimedia Broadcasting；以下、「ＤＭＢ」と称する。)データに関し、特に、ＤＭＢデータの再生のためのＤＭＢ端末機及び方法に関する。
【背景技術】
【０００２】
通常、デジタル放送とは、従来のアナログ放送に比べ、高画質や高音質、且つ、高品質のサービスを提供できる放送サービスのことである。最近は、デジタル放送技術及び移動通信技術の発達に伴い、移動中にもデジタル放送を視聴できるデジタル放送サービスに対する関心が高まっている。特に移動通信端末機を用いたＤＭＢサービスに対する関心が高まっている。このＤＭＢは、無指向性受信アンテナ付きの個人携帯用受信機や車両用受信機などを介して、移動中にも様々なマルチメディア放送を多チャンネルで視聴できる放送サービスを言う。
【０００３】
こうしたＤＭＢが可能な端末機ではリアルタイム放送を提供するが、ユーザーが所望する時間にリアルタイム放送を視聴できなかった場合、放送局の再放送を視聴したり、予め録画して置いた放送を所望する時間に再視聴することができる。最近、インターネットの普遍化に伴い、ユーザーは、端末機においてインターネットや移動通信ネットワークを介してＶＯＤ(Video on demand)サーバーに接続して、コンテンツ化した該放送番組を検索した後、ダウンロード又はストリーミングにより所望の放送チャンネルを再視聴することができる。つまり、リアルタイム放送の再視聴のためには、該放送番組が終了した後、ユーザーが端末機を介して放送チャンネルを提供するサーバーに接続して、再視聴したいコンテンツを検索して再視聴することができる。
【０００４】
前述したように、衛星及び地上波ＤＭＢの視聴者は、固定された位置での有線機器を介した視聴から逸脱して、屋外又は移動中に無線機器であるＤＭＢ端末機を介して放送を視聴できるため、移動中に視聴しなかった部分が発生し得る。例えば、屋外又は移動中にＤＭＢ端末機を介したＤＭＢ放送の視聴者は、屋内、すなわち、固定された位置での視聴よりも集中度が低下する場合が多い。このとき、視聴者は、瞬間的に特定部分の放送を視聴しなくなった場合、直ぐこの部分を再視聴したい欲求が発生する。
【０００５】
しかしながら、現在の放送を再視聴するためのサービスは、一般的な再放送である場合、放送局の番組が編成されるまで一定時間待機しなければならず、ＶＯＤサービスは、番組が終了していから該放送に対するコンテンツがサーバーに格納された後に可能であるため、待機時間が長くなる。また、ユーザーが、ＤＭＢ端末機の放送サービス中に放送を録画して再視聴することもできるが、これは、ユーザーが予め録画時点を定めて録画設定をしなければならない。さらに、番組録画が終了するまで待機すべきであり、録画したい一部分を選択的に録画することもできない。
【０００６】
前述したように、従来は、ＤＭＢ放送のサービス中にＤＭＢ放送の一部分を再視聴したい場合、該放送番組が終了した後に可能であった。よって、視聴者が放送視聴中に不注意などにより見逃した部分を再視聴したい場合、直ぐ再視聴することができる方法がなかった。
【発明の開示】
【発明が解決しようとする課題】
【０００７】
よって、本発明の目的は、ＤＭＢ放送のサービス中にＤＭＢ放送の一部分を再視聴できるようにするためのＤＭＢ端末機及び方法を提供することにある。
【０００８】
本発明の他の目的は、ＤＭＢ放送のサービス中に放送再視聴が要求される場合、再視聴用放送を現在サービス中である放送と共に画面に表示できるようにするためのＤＭＢ端末機及び方法を提供することにある。
【課題を解決するための手段】
【０００９】
前記目的を達成するために、本発明は、ＤＭＢサービス中における放送再視聴のためのＤＭＢ端末機であって、ＤＭＢ信号を受信して放送データに変換するデジタル放送受信部と、前記放送データをバッファリングして出力するバッファと、前記バッファから出力される放送データを格納し、制御信号によって前記格納された放送データの一部を出力するリプレイ用バッファと、前記バッファ及びリプレイ用バッファから出力される少なくとも一つの放送データを表示する表示部と、前記リプレイ用バッファに格納された放送データを逆方向検索するための単位時間を格納するメモリ部と、前記ＤＭＢサービス中に放送再視聴の要求がある場合、前記再視聴要求時刻から前記単位時間だけの以前時刻までの放送データを前記リプレイ用バッファから検索して、前記表示部に出力するように制御する制御部とからなることを特徴とする。
【００１０】
また、本発明は、ＤＭＢ端末機におけるＤＭＢサービス中に放送再視聴のための方法であって、リアルタイムＤＭＢサービスされる間、ＤＭＢデータをリプレイ用バッファに格納するステップと、前記ＤＭＢサービス中に放送再視聴の要求がある場合、前記再視聴要求時刻から単位時間だけの以前時刻までの放送データを前記リプレイ用バッファから検索して画面に表示するステップとを含むことを特徴とする。
【発明の効果】
【００１１】
本発明によれば、ＤＭＢ放送サービス中、一部の放送再視聴の要求によって再視聴用放送を現在サービス中である放送と共に画面に表示することで、ユーザーは関心のあるイベントをリアルタイム放送中に直ぐ確認することができる。また、ユーザーは、逆方向検索された内容を録画することができるため、関心のある一部イベントだけを選択的に録画することができる。
【発明を実施するための最良の形態】
【００１２】
以下、添付図面に基づき、本発明の好適な実施形態について詳細に説明する。また、本発明の説明において、本発明に関連した公知の機能や構成についての具体的な説明が、本発明の要旨を不明瞭にすると判断される場合には、その詳細な説明を省略する。
【００１３】
図１を参照して、本発明の実施形態によるＤＭＢ端末機の構成及び動作について説明する。図１は、本発明の実施形態によるＤＭＢ端末機の内部ブロック構成図である。
【００１４】
制御部１１０は、ＤＭＢ端末機の全般的な制御動作を遂行する。制御部１１０は、デジタル放送受信部１０２から受信された放送データを、バッファ１０４とリプレイ用バッファ１０６とに同時に格納するように制御する。
【００１５】
以後、制御部１１０は、放送の再生中、ユーザーから放送の一部分を再視聴するための所定キーが入力される場合、所定キーの入力時点より予め設定されている単位時間だけの以前の放送データから所定キーの入力時点までの放送データをリプレイ用バッファ１０６から再生する。このとき、制御部１１０は、再視聴モードのための所定キーの入力回数に従い、再視聴用放送データが格納された時点を決定する。仮に、単位時間を６秒に設定した場合、所定キーが１回入力されれば、現時点から６秒前に格納された放送データをリプレイ用バッファ１０６から読取って再生するように制御し、所定キーが３回入力されれば、現時点から１８秒前に格納された放送データをリプレイ用バッファ１０６から読取って再生するように制御する。
【００１６】
また、制御部１１０は、デジタル放送受信部１０２を介してリアルタイムで受信される放送データが、バッファ１０４及びマルチメディア部１００を介して映像及びオーディオデータにパッシングされ、該映像及びオーディオデータが表示部１０８及びスピーカーに出力されるように制御する。制御部１１０は、再視聴モードの要求により、リプレイ用バッファ１０６からの放送データを映像及びオーディオデータにパッシングして、該映像及びオーディオデータが表示部１０８及びスピーカーに出力されるように制御する。
【００１７】
前述したように、ＤＭＢ放送のサービス中に再視聴モードの要求がある場合、制御部１１０は、リアルタイムで受信される放送サービスの映像をメーン画面に表示するように制御し、再視聴モードに従う再視聴用放送映像をサブ画面に表示するように制御する。このとき、設定により、現在遂行中である放送サービスの映像をサブ画面に表示し、再視聴モードに従う再視聴用放送映像をメーン画面に表示するように制御することもできる。すなわち、本発明は、リアルタイムで受信される放送サービスの映像と再視聴映像との両方を画面に表示するために、端末機の画面をＰＩＰ(Picture In Picture)方式により、メーン画面とサブ画面とに分割してディスプレイする。
【００１８】
一方、デジタル放送受信部１０２は、アンテナを介してデジタル放送データ(以下、「放送データ」と略称する)を受信して、転送パケットを逆多重化した後、デコーディングにより放送データを映像及びオーディオデータにパッシングする。
【００１９】
バッファ１０４は、デジタル放送受信部１０２から入力される映像及びオーディオデータを各々格納するためのビデオバッファとオーディオバッファとからなり、入力された映像及びオーディオデータをバッファリングして出力する。
【００２０】
リプレイ用バッファ１０６は、円形バッファの形態からなり、再視聴用放送データを格納する。このとき、再視聴用放送データは、リアルタイムＤＭＢ放送中に現時点以前の一定時間の間の放送データのことである。このようなリプレイ用バッファ１０６のサイズは、各システムで許容するメモリ資源によって異なり、リプレイ用バッファ１０６のサイズ以上のＤＭＢ放送データは上書されるため、リプレイ用バッファ１０６の容量が許容する一定時間内の放送だけの検索及び視聴ができる。
【００２１】
マルチメディア部１００は、デジタル放送のサービス時に制御部としての機能を遂行し、デジタル放送受信部１０２を介して伝送されるそれぞれの映像及びオーディオデータを、表示部１０８及びオーディオ処理部１０９に出力する役割を遂行する。このようなマルチメディア部１００はコーデックを含み、本発明では、現在サービス中である放送データを処理するためのビデオ／オーディオコーデックと、再視聴用放送データを処理するためのビデオ／オーディオコーデックを別途に備える。しかしながら、別途のコーデックを備えず、単一のコーデックを使用することもできる。仮に、単一のコーデックを使用する場合、現在サービス中である放送データをメーン画面に出力せず、再視聴用データだけを出力することができる。また、仮に、デコーディングが遂行されたフレームバッファデータをリプレイ用バッファ１０６に格納する場合、別途のコーデックを使用しなくても、現在サービス中である放送データをメーン画面に出力することができる。
【００２２】
表示部１０８は、制御部１１０の制御下で、キー入力部１１２から入力されたキー入力データに対する表示データを受信して表示したり、ユーザーが必要な機能を設定又は駆動させる場合、その状態を可視的に分かるようにする。また、本発明による表示部１０８は、制御部１１０の制御下で、放送サービスの遂行に従う映像を表示しながら、放送サービス中における再視聴モードの動作時、ＰＩＰ形態でサービス中である放送映像と再視聴のための放送映像とを同時に表示する。
【００２３】
オーディオ処理部１０９は、マイクロホン(ＭＩＣ)及びスピーカー(ＳＰＫ)に接続され、制御部１１０から伝送されるオーディオ信号を変換してＳＰＫを介して出力し、ＭＩＣから受信されるオーディオ信号をデータ化して制御部１１０に伝達する。特に、本発明によるオーディオ処理部１０９は、リプレイ用バッファ１０６から出力されるオーディオ信号と、バッファ１０４から出力されるオーディオ信号とを各々再生するために、独立したコーデックにより、互いに異なる映像に応じて出力されるオーディオ信号をイヤホンのレフト端子(Ｌ)とライト端子(Ｒ)とに各々出力できる。
【００２４】
キー入力部１１２はユーザーとのインターフェースのための装置であって、具備された各キーの入力によって固有のキー入力データを出力し、キー入力部１１２から出力されるキー入力データは制御部１１０に印加される。制御部１１０は、このようなキー入力データがどのようなキー入力に従うキー入力データかを検出し、その結果に従って当該動作を遂行する。また、本発明によるキー入力部１１２は、再視聴モードを遂行するための逆方向検索キーを含む。本発明による再視聴モードのための逆方向検索キーは、既存の他の機能を遂行するための機能キーにより具現されることができ、別途に具備されるキーにより具現されることができる。
【００２５】
メモリ１１４は、ＤＭＢ受信用端末機の全般的な機能に関する情報と共に、放送サービス提供に関する情報を格納する。特に、本発明によるメモリ１１４は、再視聴モードを遂行するための逆方向検索キーの入力時、リプレイ用バッファ１０６に格納された放送データを検索するための単位時間を格納する。このとき、単位時間は、逆方向検索のためのキー入力ごとに現在時点からどの程度の以前時点まで検索すべきであるかに対する時間単位のことである。
【００２６】
無線部１１６は、制御部１１０の制御下で、アンテナ(ＡＮＴ)を介して基地局とＲＦ信号を送受信する。
【００２７】
よって、図１に示すように構成されるＤＭＢ端末機において、デジタル放送サービス中、ユーザーの放送再視聴の要請により放送再視聴モードを遂行する過程を、図２を参照して説明する。図２は、本発明の実施形態による放送サービス中に放送再視聴の要求に従う制御過程を示すフローチャートである。
【００２８】
図２によれば、制御部１１０は、段階Ｓ２００において待機状態を維持し、段階Ｓ２０２において放送サービスモードの要請がある場合、段階Ｓ２０４に進行する。これにより、デジタル放送受信部１０２を介して受信される放送データが映像及びオーディオデータにパッシングされれば、制御部１１０は、段階Ｓ２０４においてリアルタイム受信された放送データをバッファ１０４及びリプレイ用バッファ１０６に格納する。
【００２９】
続いて、制御部１１０は、段階Ｓ２０６において現在放送サービスモードの遂行によってパッシングされた放送データ、すなわち、映像及びオーディオデータが格納されたバッファ１０４から出力されるデータを、表示部１０８及びスピーカーを介して出力されるように制御する。このように、制御部１１０は、映像及びオーディオデータが出力される状態で、段階Ｓ２０８において逆方向検索キーが入力されるか否かを検査する。
【００３０】
段階Ｓ２０８において逆方向検索キーが入力された場合、制御部１１０は、段階Ｓ２１０において放送再視聴モードを遂行する。ここで、放送再視聴モードは、制御部１１０が現在リアルタイム受信される放送データをメーン画面に出力すると同時に、逆方向検索キーによってリプレイ用バッファ１０６から現時点で予め設定された単位時間だけ以前時点に格納された再視聴用放送データをサブ画面に出力するものである。
【００３１】
本発明の実施形態では、単位時間を６秒に設定して説明する。すなわち、逆方向検索キーが１回入力されれば、現時点より６秒前に格納された放送から逆方向検索キーが入力された時点に格納された放送まで再視聴することがができる。仮に、逆方向検索キーが２回入力されれば、現時点より１２秒前の放送を再視聴することができる。しかしながら、仮に、検索したい時間の放送データが既にリプレイ用バッファ１０６に上書された後である場合、リプレイ用バッファ１０６内で現時点より最も前のデータが選択される。例えば、図５を参照して説明すれば、ＤＭＢリアルタイム放送でのドラマを視聴中であるユーザーが、暫く他の用事を済ました後、“２０:０１:０６”に放送を再視聴する場合、以前の放送内容が気になるかもしれない。このような場合、ユーザーは、視聴しなかった部分に対する再視聴のために、逆方向検索キーを入力することにより、５００に示す画面のように予め設定された単位時間である６秒前の“２０:０１:００”の放送内容を現在サービス中である放送と共に視聴できる。このとき、ユーザーは、再視聴モード時、録画キーを介して再視聴時点から放送データを録画することもできる。
【００３２】
以後、制御部１１０は、段階Ｓ２１２において再視聴モードが終了されるか否かを検査する。このとき、再視聴モードの終了を判断する基準は、現在再生中である再視聴放送データに対する時刻が、段階Ｓ２０８での逆方向検索キーを入力した時点の時刻以後であれば、再視聴モードを終了する。すなわち、逆方向検索キーの入力により、現在時点より単位時間だけの以前時点から現在時点まで再視聴用放送データを再生した後、再視聴モードを終了する。
【００３３】
段階Ｓ２１２において再視聴モードが終了されない場合、制御部１１０は、段階Ｓ２１０に戻って放送再視聴モードを継続して遂行する。
【００３４】
以下、図３を参照して、放送再視聴モードを遂行するための過程を、より具体的に説明する。
【００３５】
ユーザーの逆方向検索キーの入力により放送再視聴モードに進入すれば、段階Ｓ３００において、制御部１１０は、逆方向検索キーが入力された時点の現在時刻を再視聴開始時刻に設定する。続いて、制御部１１０は、段階Ｓ３０２において、リプレイ用バッファ１０６により、再視聴開始時刻より予め設定された単位時間だけの以前時刻から再視聴開始時刻まで格納された再視聴用データを検索した後、段階Ｓ３０４において検索したい時点の再視聴用データが上書されたか否かを検査する。
【００３６】
段階Ｓ３０４において検索したい時点の放送データが上書された場合、制御部１１０は、段階Ｓ３０８において、最も前に格納されたデータを表示部１０８のサブ画面に表示した後、段階Ｓ３１０に進行する。このとき、再視聴モードの遂行に従う放送がサブ画面に表示されれば、現在サービス中である放送データはメーン画面に表示される。
【００３７】
一方、段階Ｓ３０４において検索したい時点の放送データがリプレイ用バッファ１０６に格納される場合、制御部１１０は、段階Ｓ３０６において単位時間の前に該当する放送データを表示部１０８のサブ画面に表示した後、段階Ｓ３１０に進行する。例えば、図４Ａによれば、現在時刻が“２０：０１：０６”のとき、逆方向検索キーが１回入力されれば、６秒前である“２０：０１：００”の放送データから“２０：０１：０６”の放送データまで再生される。
【００３８】
段階Ｓ３１０において、制御部１１０は、現在再視聴モードの遂行中に再び逆方向検索キーの入力があるか否かを検査する。
【００３９】
段階Ｓ３１０において逆方向検索キーの入力がある場合、段階Ｓ３１１において、制御部１１０は、現在再視聴の遂行中であるデータに対する時刻を再視聴開始時刻に設定した後、段階Ｓ３０２〜段階Ｓ３１０を繰返す。
【００４０】
例えば、図４Ｂによれば、“２０：０１：０６”のとき、逆方向検索キーが１回入力されれば、６秒前の放送の再視聴を３秒間視聴した状態、すなわち、“２０：０１：０３”で更に１回検索キーが入力されれば、現在再視聴の遂行中であるデータに対する時刻である“２０：０１：０３”から６秒前である“２０：００：５７”に対応するデータから再生される。すなわち、最初逆方向検索キーの入力時点から９秒前のデータを視聴することができる。
【００４１】
また、図４Ｃによれば、逆方向検索キーが１回入力された後、短時間内に連続的なキー入力が繰返される場合、所定時間(例えば、キー入力回数＊単位時間)だけの以前の放送データから視聴することができる。このとき、再視聴開始時刻は最初検索キー入力時間である。
【００４２】
一方、段階Ｓ３１０において逆方向検索キーが入力されない場合、段階Ｓ３１２において現在再生中である再視聴放送データの時刻が最初再視聴開始時刻よりも以前か否かを検査する。
【００４３】
段階Ｓ３１２において現在再生中である再視聴放送データ時刻が最初再視聴開始時刻よりも以前である場合、制御部１１０は、段階Ｓ３１６において継続して次の位置の放送データをサブ画面に表示する。
【００４４】
一方、段階Ｓ３１２において現在再生中である再視聴放送データ時刻が最初再視聴開始時刻よりも以後である場合、制御部１１０は、段階Ｓ３１４において再視聴モードを終了する。このとき、再視聴モードが終了されれば、制御部１１０はサブ画面を非活性化させる。
【００４５】
前述したように、本発明は、ＤＭＢ放送サービス中に受信される放送データを再生すると同時に、現時点より以前の一定部分を別途のリプレイ用バッファに格納し、再視聴の要求によってリプレイ用バッファに格納された放送データを逆方向検索して、現在サービス中である放送サービスと共に画面に再生できるようにする。
【００４６】
なお、本発明の詳細な説明では具体的な実施形態について説明したが、本発明の要旨から逸脱しない範囲内で多様に変形できる。よって、本発明の範囲は、前述の実施形態に限定されるものではなく、特許請求の範囲の記載及びこれと均等なものに基づいて定められるべきである。
【図面の簡単な説明】
【００４７】
【図１】本発明の実施形態によるＤＭＢ端末機の内部ブロック構成図である。
【図２】本発明の実施形態による放送サービス中に放送再視聴の要求による制御過程を示すフローチャートである。
【図３】本発明の実施形態による逆方向検索した放送に対する再視聴モードを遂行するための過程を示すフローチャートである。
【図４Ａ】本発明の実施形態による再視聴用放送データを格納するリプレイ用バッファを示す図である。
【図４Ｂ】本発明の実施形態による再視聴用放送データを格納するリプレイ用バッファを示す図である。
【図４Ｃ】本発明の実施形態による再視聴用放送データを格納するリプレイ用バッファを示す図である。
【図５】本発明の実施形態による放送サービス中に放送再視聴用データが正常放送と共に表示される画面を示す例示図である。
【符号の説明】
【００４８】
１００  マルチメディア部
１０２  デジタル放送受信部
１０４  バッファ
１０６  リプレイ用バッファ
１０８  表示部
１０９  オーディオ処理部
１１０  制御部
１１２  キー入力部
１１４  メモリ
１１６  無線部
【図１】
2007104679.tif 000003
【図２】
2007104679.tif 000004
【図３】
2007104679.tif 000005
【図４Ａ】
2007104679.tif 000006
【図４Ｂ】
2007104679.tif 000007
【図４Ｃ】
2007104679.tif 000008
【図５】
2007104679.tif 000009